(57)【特許請求の範囲】
【請求項１】
少なくとも１つの絞り開口が形成され、前記絞り開口が撮影光路上に位置して絞り径を小さくする第１の位置と、前記絞り開口が撮影光路上から退避して絞り径を大きくする第２の位置との間で移動自在に設けられた絞り板と、
被写体輝度に応じた光電信号を出力する測光手段と、
前記光電信号の変化に応じて前記絞り板を移動させるために、予め前記光電信号と比較する閾値が設定され、被写体輝度が高輝度から低輝度に減少する際に前記光電信号が前記閾値を横切った時、第１の切り換え信号を出力し、被写体輝度が低輝度から高輝度に増加する際に前記光電信号が前記閾値を横切った時、第２の切り換え信号を出力する絞り制御回路と、
前記第１の切り換え信号に応答して絞り板を第１の位置に移動させ、第２の切り換え信号に応答して絞り板を第２の位置に移動させるとともに、絞り板をそれぞれの位置に向けて移動させた後に駆動が断たれる電磁駆動手段と、
前記絞り制御回路及びストロボへ給電を開始するオン位置と、前記給電を断つオフ位置との間で移動自在であり、前記絞り制御回路とストロボを連動させてオンオフするストロボスイッチと、
前記電磁駆動手段によって第１又は第２の位置に移動した絞り板を、電磁駆動手段の駆動が断たれた状態でそれぞれの位置に保持する保持手段とが設けられており、
前記ストロボスイッチが前記オフ位置に移動するときに、前記絞り板が前記第２の位置にある場合には、前記ストロボスイッチに連動して前記絞り板を前記第１の位置に移動させるとともに、前記ストロボスイッチをオン位置に移動するときには、その直後の前記被写体輝度が低輝度である場合には、輝度変化が無くても、前記絞り制御回路が前記第２の切り換え信号を出力することにより、前記絞り板を前記第１の位置から前記第２の位置に移動させることを特徴とするカメラの自動露光制御装置。
【請求項２】
前記電磁駆動手段は、可動鉄心の両端にそれぞれ配置した２つのコイルからなる２連ソレノイドであり、第１の切り換え信号に応答して一方のコイルへ一定時間電流を供給することにより前記可動鉄心を第１方向に移動させ、第２の切り換え信号に応答して他方のコイルへ一定時間電流を供給することにより前記可動鉄心を第２方向に移動させることを特徴とする請求項１記載のカメラの自動露光制御装置。
【請求項３】
前記電磁駆動手段は、可動鉄心の一端に１つのコイルを配置したソレノイドであり、前記第１の切り換え信号に応答して前記コイルへ正方向に一定時間電流が供給されることにより前記可動鉄心を第１方向に移動させ、前記第２の切り換え信号に応答して前記コイルへ逆方向に一定時間電流が供給されることにより前記可動鉄心を第２方向に移動させることを特徴とする請求項１記載のカメラの自動露光制御装置。
【請求項４】
前記保持手段は、絞り板が第１又は第２の位置の一方から他方に移動することに追従して死点を越えて移動し、絞り板を他方の位置に向かって付勢するトグルバネであることを特徴とする請求項１〜３いずれか１つ記載のカメラの自動露光制御装置。
【請求項５】
前記絞り制御回路がオンしている間、常時測光又は一定の間隔を空けて測光を行うことを特徴とする請求項１〜４いずれか１つ記載のカメラの自動露光制御装置。
【請求項６】
前記可動鉄心には、絞り板に設けられた駆動用のピンと係合する溝が形成されていることを特徴とする請求項１〜５いずれか１つ記載のカメラの自動露光制御装置。
【発明の詳細な説明】
【０００１】
【発明の属する技術分野】
本発明は、被写体輝度に応じて絞り板を移動させて露光制御を行うカメラの自動露光制御装置に関するものである。
【０００２】
【従来の技術】
予め写真フイルムが装填された１回使用型の簡易型カメラとして、レンズ付きフイルムユニットが知られている。このレンズ付きフイルムユニットは、１回使用型であることから、徹底した構造の簡単化、低コスト化が図られている。他方で、画質向上の要請から、被写体輝度に応じて自動的に絞り切り換えを行って露光制御を行う自動露光制御装置を備えたものが検討されている。
【０００３】
この自動露光制御装置は、例えば、特開平９−５８１７号公報に示すように、絞り開口が設けられた絞り板と、この絞り板を駆動する電磁石と、この電磁石をオン／オフすることで絞り開口を切り換える絞り制御回路とからなる。この絞り制御回路は、シャッタ半押し操作によって絞り制御回路をオンする作動スイッチと、被写体輝度に応じた輝度信号を出力する測光部と、この輝度信号を受けて、それが所定値に達した時に前記電磁石を作動させるスイッチングトランジスタとを備えている。これによれば、シャッタ半押し操作によって前記絞り制御回路が作動し、被写体輝度に応じて自動的に露光制御が行われるので、誰でも簡単に適正な露出量で撮影することができる。
【０００４】
【発明が解決しようとする課題】
しかしながら、上述の自動露光制御装置では、被写体輝度が所定値に達した時に電磁石の駆動を開始して絞り板を切り換え、被写体輝度が前記所定値を越えている間、電磁石を駆動しつづけることにより、絞り板を所定位置に保持している。このため、絞り板を保持するためには電磁石に給電しつづけなければならず、電池の消耗が激しいという問題がある。
【０００５】
前述した課題を解決するために、本発明は、電池の消耗が少ないカメラの自動露光制御装置を提供することを目的とする。
【０００６】
【課題を解決するための手段】
本発明は、前記目的を達成するために、請求項１記載のカメラの露光制御装置は、少なくとも１つの絞り開口が形成され、前記絞り開口が撮影光路上に位置して絞り径を小さくする第１の位置と、前記絞り開口が撮影光路上から退避して絞り径を大きくする第２の位置との間で移動自在に設けられた絞り板と、被写体輝度に応じた光電信号を出力する測光手段と、前記光電信号の変化に応じて前記絞り板を移動させるために、予め前記光電信号と比較する閾値が設定され、被写体輝度が高輝度から低輝度に減少する際に前記光電信号が前記閾値を横切った時、第１の切り換え信号を出力し、被写体輝度が低輝度から高輝度に増加する際に前記光電信号が前記閾値を横切った時、第２の切り換え信号を出力する絞り制御回路と、前記第１の切り換え信号に応答して絞り板を第１の位置に移動させ、第２の切り換え信号に応答して絞り板を第２の位置に移動させるとともに、絞り板をそれぞれの位置に向けて移動させた後に駆動が断たれる電磁駆動手段と、前記電磁駆動手段によって第１又は第２の位置に移動した絞り板を、電磁駆動手段の駆動が断たれた状態でそれぞれの位置に保持する保持手段とを設けたことを特徴とするものである。
【０００７】
なお、前記電磁駆動手段は、第１又は第２の切り換え信号に応答してそれぞれ一定時間駆動される第１，第２のソレノイドで構成すること、あるいは、第１又は第２の切り換え信号に応答してそれぞれ逆方向に電流が一定時間供給される単一のソレノイドで構成することが好ましい。また、前記保持手段は、絞り板が第１又は第２の位置の一方から他方に移動することに追従して死点を越えて移動し、絞り板を他方の位置に向かって付勢するトグルバネであることを特徴とすることが好ましい。
【０００８】
なお、前記絞り制御回路に給電を行うオン位置とその給電を断つオフ位置との間で移動自在なスイッチを備え、このスイッチをオフ位置に移動することに連動して前記絞り板を第１の位置に移動させ、前記スイッチをオン位置に移動させたときには、前記絞り制御回路がその時点で測光手段から得られる光電信号を閾値と比較し、光電信号のレベルが閾値以下であることに応答して第２の切り換え信号を出力することが好ましい。さらに、前記スイッチは、オン位置で内蔵ストロボへの給電を行い、オフ位置でその給電を断つことを特徴とすることが好ましい。
【０００９】
【発明の実施の形態】
本発明のカメラの自動露光制御装置が内蔵されたレンズ付きフイルムユニット１１の外観及び内部構造の概略を示す図２及び図３において、レンズ付きフイルムユニット１１は、中央に露光部１２が設けられ、その横にストロボ装置１３が組み付けられた本体基部１４と、その前後に被せられる前カバー１６及び後カバー１７とから構成されるユニット本体と、カートリッジ１８及びカートリッジ１８から引き出してロール形態にした写真フイルム１９とからなる。カートリッジ１８及び写真フイルム１９は、本体基部１４に形成されたカートリッジ収納室１４ａ，フイルム収納室１４ｂにそれぞれレンズ付きフイルムユニットの製造時点で予め組み込まれる。
【００１０】
前カバー１６には、その前面に、撮影レンズ２０を露呈する撮影窓２１，ファインダ対物窓２２，ストロボ発光窓２３が形成されており、その上面には、上面にはシャッタボタン２４を露呈する開口，フイルムカウンタ窓２５が形成されている。撮影窓２１の横にはＣｄＳ２６が、その横にはストロボスイッチ２７が取り付けられる。ＣｄＳ２６は、自動露光制御装置の測光手段であり、周知のように、受光する輝度に応じてその抵抗値が変化する光導電素子である。この抵抗値の変化を検出することにより自動的に絞りが切り換えられて露光制御が行われる。
【００１１】
ストロボスイッチ２７は、ストロボ充電を開始させるためのもので、上下方向にスライド自在に設けられている。ストロボの充電が完了すると、充電完了ランプが点灯し、この光がライトガイド２９を通って撮影者に確認される。また、ストロボスイッチ２７は、絞り制御回路を作動させるスイッチと連動しており、前記スイッチ２７をオンすると、絞り制御回路が作動し、ＣｄＳ２６の測光が開始される。
【００１２】
後カバー１７にはファインダ接眼窓３１、上面に、ライトガイド２９を露呈する充電完了確認窓３２が形成され、さらにカートリッジ収納室１４ａ，フイルム収納室１４ｂの底部開口を光密に覆う底蓋１７ａ，１７ｂが一体に形成されている。底蓋１７ａは、撮影済みの写真フイルムが巻き込まれたカートリッジ１８を取り出すときに開放される。
【００１３】
カートリッジ収納室１４ａの上部には、巻上げノブ３３が設けられ、その下面に一体に形成された巻上げ軸がカートリッジ１８のスプールに係合する。撮影ごとに巻上げノブ３３を回動操作することによって、撮影済みの写真フイルム１９は１コマ分ずつカートリッジ１８に巻き込まれる。このフイルム１コマ巻上げに連動して露光部１２に組み込まれたシャッタ機構が次回の撮影のためにチャージされ、またフイルム１コマ給送が完了すると露光部１２に組み込まれたロックレバーによって巻上げノブ３３の回動がロックされる。
【００１４】
露光部１２は、前方に向かって角筒状に突出した暗箱基部３６をベースにして、これにシャッタ機構，フイルム巻止め機構の他、ファインダ機構やフイルムカウンタ板等を組み付けたものである。さらに、この露光部１２は、ファインダ光学系を構成する対物及び接眼レンズを保持する。暗箱基部３６の背面には、露光枠が形成されており、撮影位置に送られてきた写真フイルム１９の前面で１コマ分の露光範囲を制限する。
【００１５】
図４に示すように、暗箱基部３６の前面には、シャッタ開口３６ａが形成されており、その前方に、シャッタ羽根３８と、絞り板３７と、これらを覆うシャッタカバー３９とが取り付けられる。シャッタカバー３９には、撮影レンズ２０が組み込まれており、撮影レンズ２０の後方に、通常の絞り開口（図５の符号４０参照）が形成されている。
【００１６】
シャッタ羽根３８は、周知の蹴飛ばし式のもので、羽根部３８ａとその上方に延びた取付部３８ｂとからなる。シャッタ羽根３９は、取付部３８ｂが暗箱基部３６の前面に形成されたピン４１と係合し、このピン４１を中心軸として回動自在に取り付けられる。
【００１７】
取付部３８ｂと暗箱基部３６との間には、コイルバネ４２がかけられており、シャッタ羽根３８は、このコイルバネ４２によって閉じ位置方向に付勢される。シャッタボタン２４が押下されると、シャッタ機構が作動し、蹴飛ばしレバー４３が取付部３８ｂの頭部を蹴飛ばす。取付部３８ｂが蹴飛ばされると、羽根部３８ａが第１のバネ４２の付勢に抗しながら開き方向に回動し、それが全開位置に達すると前記バネ４２の付勢によって閉じ位置方向に回動する。これにより、シャッタ開口３６ａが開閉される。シャッタスピードは設計時に設定された所定値で固定される。
【００１８】
また、取付部３８ｂには、押圧部３８ｃが設けられている。この押圧部３８ｃは、シャッタ開閉に連動してストロボ発光させるためのもので、シャッタボタン２４が押下されてシャッタ羽根３８が全開位置にきた時に、シンクロスイッチ４６を押圧して、これをオンする。
【００１９】
絞り板３７には、通常の絞り開口よりも小さい口径を持つ小絞り開口３７ａが形成されている。絞り板３７は、その開口３７ｂが、ストロボ装置１３に設けられた軸４７に取り付けられ、この軸４７を中心軸として、撮影光路上に小絞り開口３７ａが挿入される第１の位置と、撮影光路上から小絞り開口３７ａが退避する第２の位置との間で回動自在とされる。なお、図示しないが、シャッタ羽根３８と絞り板３７との間にはガイド部材が設けられており、このガイド部材によって、シャッタ羽根３８と絞り板３７とがその動作時に互いに干渉することがないように規制される。
【００２０】
この絞り板３７は、２つのソレノイド（図５参照）を連装した駆動部５１によって駆動される。駆動部５１の本体５２には、可動鉄心５３と、その両端に巻きつけた２つのコイル（図示せず）とが組み込まれており、その可動鉄心５３と２つのコイルとで２つのソレノイドを構成する。２つのソレノイドは、絞り制御回路から切り換え信号（パルス信号）を受けて駆動される。
【００２１】
可動鉄心５３は、それが上下方向に移動するように、その長手方向がほぼ垂直になるように配置される。駆動部５１に上側のソレノイドを作動させる切り換え信号が入力されると、可動鉄心５３がそれに引きつけられて上方に移動し、下側のソレノイドを作動させる切り換え信号が入力されると、可動鉄心５３がそれに引きつけられて下方に移動する。
【００２２】
この可動鉄心５３の一部は、本体５２の外部に露呈されており、この露呈部分に溝５３ａが形成されている。この溝５３ａと絞り板３７に設けられた駆動ピン３７ｃとが係合する。この係合により、可動鉄心５１の移動に連動して駆動ピン３７ｃが上下方向に移動し絞り板３７が回動する。
【００２３】
この絞り板３７の回動範囲は、シャッタカバー３９の背面に設けられたストッパ４８と、ストロボ装置１３の前面に設けられたストッパ４９とで規制される。ストッパ４８，４９は、絞り板３７が第１の位置及び第２の位置まで回動した時に、それぞれ絞り板３７と当接することにより、その回動を規制する。
【００２４】
また、絞り板３７の端部３７ｄには、トグルバネ５４の一端５４ａが取り付けられている。このトグルバネ５４は、絞り板３７が第１の位置又は第２の位置に回動した時に、バネ付勢により絞り板３７をそれぞれの位置に保持するためのものである。トグルバネ５４は、その他端５４ｂがシャッタカバー３９に取り付けられており、絞り板３７が回動すると、これに伴って、他端５４ｂを中心として回動する。すなわち、図５に示すように、絞り板３７が、（Ａ）に示す第１の位置から、（Ｂ）に示す第２の位置に回動すると、トグルバネ５４は、時計方向に向けて回転する。この反対に、絞り板３７が、第２の位置から第１の位置に向けて回動すると、トグルバネ５４は、反時計方向に向けて回転する。
【００２５】
そして、トグルバネ５４は、両端５４ａ，５４ｂが互いを斥ける方向に付勢力が働くように蓄勢して取り付けられる。このため、絞り板３７が第１の位置にある時には、一端５４ａが端部３７ｄを下方に押し下げる方向に付勢し、この付勢により、絞り板３７が第１の位置に保持される。他方、絞り板３７が第２の位置にある時には、一端５４ａが端部３７ｄを上方に押し下げる方向に付勢し、この付勢により、絞り板３７が第２の位置に保持される。
【００２６】
ストロボ装置１３は、メインコンデンサ５６，シンクロスイッチ４６，昇圧コイルなどの回路部品を取り付けた回路基板５７と、ストロボ放電管やリフレクタ等を含む発光部５８と、電源電池５９（図３参照）とからなる。ＣｄＳ２６もこの回路基板５７に接続される。回路基板５７には、回路パターンがプリントされるとともに、各種回路素子が取り付けられてストロボ回路及び絞り制御回路が形成されている。回路基板５７の前面には、軸４７等の他、一対の接片６１が設けられている。
【００２７】
また、回路基板５７の前面には、受け板６２を介してストロボスイッチ２７がスライド自在に取り付けられる。ストロボスイッチ２７の背面には、ストロボ充電を開始するとともに、絞り制御回路を作動させるための作動スイッチ６３が取り付けられている。ストロボスイッチ２７をオン位置にスライドすると、この作動スイッチ６３が各接片６１間を導通させてストロボ充電を開始するとともに、絞り制御回路が作動する。
【００２８】
また、ストロボスイッチ２７には、これをオフする時に、絞り板３７に設けられたピン３７ｅと当接してこのピン３７ｅを押し下げる押圧レバー２７ａが設けられている。この押圧レバー２７ａにより、ストロボスイッチ２７をオフすると、その時の被写体輝度に関わらず、絞り板３７が強制的に第１の位置にセットされる。
【００２９】
これにより、ストロボスイッチ２７がオフしている時には、絞りが小絞りにセットされるようにするとともに、絞り制御回路の作動を開始する時には、常に絞り板３７が第１の位置にセットされるようにしている。また、ストロボスイッチ２７をオンすると、押圧レバー２７ａがピン３７ｅの移動経路から退避するので、絞り板３７が回動可能な状態になる。
【００３０】
ストロボ回路の例を示す図６において、ストロボ回路は、作動スイッチ６３をオンすると、発振トランジスタ６６が導通して昇圧コイル６７が作動する。昇圧コイル６７から得られる二次電流によってメインコンデンサ５６とトリガコンデンサ６８に充電が行われ、メインコンデンサ５６が規定の充電レベルに達するとネオン管６９が点灯する。シャッタ羽根３８の開放によりシンクロスイッチ４６がＯＮすると、トリガコンデンサ６８の放電によりトリガコイル７１の一次側に電流が流れ、その二次側に接続されたトリガ電極７２に高電圧が発生する。これによりメインコンデンサ５６に蓄えられていた電荷がストロボ放電管７３を通して放電され、ストロボ発光する。
【００３１】
他方、絞り制御回路の例を示す図１及びその回路のタイミングチャートを示す図７において、絞り制御回路は、ＣｄＳ２６，コンパレータ７６，インバータ７７，ＡＮＤゲート７８，ＮＯＲゲート７９，第１及び第２のソレノイド８１，８２を備えている。この絞り制御回路の電源電池５９及び作動スイッチ６３は、ストロボ回路と共通である。第１のソレノイド８１は、可動鉄心５３を上方に吸引して、絞り板３７を第１の位置に回動する。第２のソレノイド８２は、可動鉄心５３を下方に吸引して、絞り板３７を第２の位置に回動する。
【００３２】
コンパレータ７６は、基準電圧Ｖref と、ＣｄＳ２６と抵抗８４とで分圧された入力電圧Ｖinとを比較して、ハイ（Ｈ）レベル又はロー（Ｌ）レベルの信号を出力するためのものである。被写体輝度が高輝度の時、ＣｄＳ２６の抵抗値は低いので、入力電圧Ｖinが低い。他方、被写体輝度が低輝度の時、ＣｄＳ２６の抵抗値は高く、入力電圧Ｖinは高い。
【００３３】
コンパレータ７６は、入力電圧Ｖinが基準電圧Ｖref よりも低い時（被写体輝度が高輝度の時）には、Ｈ信号を出力しつづける。被写体輝度が減少して、入力電圧Ｖinが徐々に増加して基準電圧Ｖref に近づき、基準電圧Ｖref を上回ったときに、出力信号がＨ信号からＬ信号に変化する。その後、入力電圧Ｖinが基準電圧Ｖref を上回っている間、Ｌ信号を出力しつづける。そして、被写体輝度が増加して、入力電圧Ｖinが基準電圧Ｖref を下回ると、Ｈ信号に変化する。
【００３４】
コンパレータ７６から出力された信号は、ＡＮＤゲート７８，ＮＯＲゲート７９の各々の一方の入力端子７８ａ，７９ａにそれぞれ入力される。また、この出力信号は、インバータ７７にも入力される。このインバータ７７によって反転されて出力された信号が、コンデンサ８６と抵抗８５とによって遅延されて、ＡＮＤゲート７８，ＮＯＲゲート７８の各々の他方の入力端子７８ｂ，７９ｂに入力される。
【００３５】
まず、入力電圧Ｖinが基準電圧Ｖref よりも低い時（被写体輝度が高輝度の時）、コンパレータ７６からＨ信号が出力される。この時、入力端子７８ａ，７９ａにはＨ信号が、入力端子７８ｂ，７９ｂにはインバータ７７を経由してＬ信号が入力される。このため、ＡＮＤゲート７８，ＮＯＲゲート７９ともに、Ｌ信号を出力するので、トランジスタ８７，８８は作動せず、したがって、第１及び第２のソレノイド８１，８２も作動しない。
【００３６】
また、この反対に、入力電圧Ｖinが基準電圧Ｖref よりも高い時（被写体輝度が低輝度の時）、コンパレータ７６からＬ信号が出力される。この時、入力端子７８ａ，７９ａにはＬ信号が、入力端子７８ｂ，７９ｂにはインバータ７７を経由してＨ信号が入力される。このため、ＡＮＤゲート７８，ＮＯＲゲート７９ともに、Ｌ信号を出力するので、第１及び第２のソレノイド８１，８２は作動しない。このように、入力電圧Ｖinが基準電圧Ｖref の上下で、ある程度定常状態にある時には、第１及び第２のソレノイド８１，８２は作動しない。
【００３７】
これに対して、入力電圧Ｖinが変化して基準電圧Ｖref を横切る時には、ＡＮＤゲート７８からトランジスタ８７を作動させる駆動パルス、又は、ＮＯＲゲート７９からトランジスタ８８を作動させる駆動パルスが選択的に発生して、第１又は第２のソレノイド８１，８２を作動させる。
【００３８】
まず、入力電圧Ｖinが増加して基準電圧Ｖref を上回ると（被写体輝度が減少）、コンパレータ７６からの出力信号がＨ信号からＬ信号に変化する。このＬ信号が入力端子７８ａ，７９ａに入力される。この時、ＮＯＲゲート７９は、その入力端子７９ａ，７９ｂに、ともにＬ信号が入力されるので、Ｈ信号を出力する。このＮＯＲゲート７９のＨ信号の出力は、その入力端子７９ｂにインバータ７７からＨ信号が入力されるまでの間、すなわち、コンデンサ８６と抵抗８５とによって入力が遅延される間、つづく。これが駆動パルスとなり、一定時間、第２のソレノイド８２を作動させ、絞り板３７を第２の位置に回動する。
【００３９】
次に、入力電圧Ｖinが減少して基準電圧Ｖref を下回ると（被写体輝度が増加）、コンパレータ７６の出力がＬ信号からＨ信号に変化する。このＨ信号が入力端子７８ａ，７９ａに入力される。この時、ＡＮＤゲート７８は、その入力端子７９ａ，７９ｂにともにＨ信号が入力されるので、Ｈ信号を出力し、トランジスタ８７を作動させる駆動パルスを発生する。この駆動パルスによって、一定時間、第１のソレノイド８１が作動し、絞り板３７が第１の位置に回動する。
【００４０】
このように、予め設定された基準電圧Ｖref を入力電圧Ｖinが上回る時と、下回る時に絞り板３７の切り換えが行われる。基準電圧Ｖref は、抵抗９０と抵抗９５との分圧値となる。しかし、その値は、入力電圧Ｖinが増加していく時と、それが減少していく時とでは、微妙に変化する。
【００４１】
これは、いわゆるヒステリシスと呼ばれる現象で、入力電圧Ｖinが増加する時の基準電圧Ｖref と、入力電圧Ｖinが減少する時の基準電圧Ｖref との間に差が生じる。この差の大きさがヒステリシスの幅となり、これは抵抗９１と抵抗９２との大きさで決まる。ヒステリシスの幅が小さいと、ノイズによる影響を受けやすくなる。すなわち、入力電圧Ｖinが基準電圧Ｖref 付近にある時に、ノイズの影響を受けて駆動パルスの発生が繰り返されるという誤作動が生じやすくなる。また、このヒステリシス幅が大きいと、ノイズによる誤作動が生じにくくなる一方、入力電圧Ｖinが増加する時の基準電圧Ｖref と、それが減少する時の基準電圧Ｖref との差が大きくなってしまう。ヒステリシス幅は、これらを勘案して適宜選択される。
【００４２】
また、コンデンサ８９と抵抗８４とは、作動スイッチ６３をオンした時に、入力電圧Ｖinがコンパレータ７６に入力するのを遅らせて、コンパレータ７６の出力を初期化するためのものである。作動スイッチ６３をオンした時、絞り板３７は、常に第１の位置に設定されている。このため、コンパレータ７６の出力も、絞り板３７が第１の位置にある時に出力されるべきＨ信号に設定する必要がある。入力電圧Ｖinの入力を遅らせることで、被写体輝度の状態に関わらず、作動スイッチ６３をオンした直後は、基準電圧Ｖref が入力電圧Ｖinを常に上回ることになる。したがって、作動スイッチ６３をオンした直後はコンパレータ出力がＨ信号に設定される。
【００４３】
以下、上記構成の作用について説明する。ストロボスイッチ２７をオンすると、作動スイッチ６３がオンする。作動スイッチ６３がオンされると、ストロボ充電が開始され、絞り制御回路も作動を開始する。同時に、ストロボスイッチ２７の押圧レバー２７ａが、絞り板３７のピン３７ｅの移動経路上から退避して、絞り板３７が回動可能な状態になる。
【００４４】
作動スイッチ６３をオンした直後、入力電圧Ｖinのコンパレータ７６への入力がコンデンサ８９と抵抗８４とによって遅延されるから、その間、被写体輝度に関わらず、コンパレータ７６はＨ信号を出力する。被写体輝度が低輝度の場合には、入力電圧Ｖinが増加して基準電圧Ｖref を上回るから、コンパレータ出力がＬ信号に変化する。これにより、第２のソレノイド８２を作動させる駆動パルスが発生し、絞り板３７が第２の位置に回動する。この絞り板３７の回動に連動して、トグルバネ５４が、絞り板３７を第２の位置に付勢する位置に回動する。このため、駆動パルスによる第２のソレノイド８２の作動が終了しても、絞り板３７はトグルバネ５４により第２の位置に保持される。
【００４５】
他方、被写体輝度が高輝度の場合には、入力電圧Ｖinが基準電圧Ｖref を上回らないから、駆動パルスは発生せず、絞り板３７は回動しない。この時、第１のソレノイド８１は作動しないが、トグルバネ５４によって絞り板３７は第１の位置に保持された状態を保つ。
【００４６】
巻き上げノブ３３を回動すると、フイルムが１コマ巻き上げられるとともに、シャッタチャージが行われる。フレーミングの後、シャッタボタン２４を押下すると、シャッタ羽根３８が開閉して撮影が行われる。シャッタ羽根３８が全開位置にきた時に、シンクロスイッチ４６がオンしてストロボ発光する。被写体輝度が低い場合には、通常の絞り開口４０がセットされているから、撮影光は、撮影レンズ２０，通常の絞り開口４０を通って写真フイルム１９に露光する。他方、被写体輝度が高い場合には、小絞り開口３７ａを通って写真フイルム１９に露光する。被写体輝度に応じた絞りがセットされているので、適正な露光量で撮影が行われる。
【００４７】
また、被写体輝度が高輝度の状態から減少して、入力電圧Ｖinが基準電圧Ｖref を上回ると、第２のソレノイド８２を作動させる駆動パルスが発生し、絞り板３７が第２の位置に回動し、通常の絞り開口４０がセットされる。他方、被写体輝度が増加して、入力電圧Ｖinが基準電圧Ｖref を下回ると、第１のソレノイド８１を作動させる駆動パルスが発生し、絞り板３７が第１の位置に回動し、小絞り開口３７ａがセットされる。このように、日中にストロボ撮影を行う場合など被写体輝度が高い場合には、小絞り開口３７ａに設定され、他方、夜間や室内など被写体輝度が低い場合には、通常の絞り開口４０に設定されるというように、被写体輝度に応じて絞り板が自動的に切り換えられるので、適正な露光量での撮影が可能となる。
【００４８】
また、絞り切り換えは、絞り制御回路が作動している間、輝度の変化に応じて即座に行われるので、撮影時にシャッタボタン２４を半押し操作して絞り切り換えを行う等特別な操作が不要となる。このため、絞り制御回路を作動させている間は、常に輝度に応じた絞りが設定されているので、適正な露光での撮影が即座に可能となり、シャッタチャンスを逃してしまうようなことはない。
【００４９】
また、駆動パルスを発生させて絞り板３７を駆動するので、電源電池５９の消耗が抑えられる。そして、絞り板３７をトグルバネ５４によって各位置に保持するので、それを保持するために電源電池５９を消耗する必要がない。
【００５０】
撮影が終了し、ストロボスイッチ２７をオフすると、作動スイッチ６３もオフされる。このオフ時に、絞り板３７が第２の位置にセットされている場合には、押圧レバー２７ａが絞り板３７のピン３７ｅと当接し、ピン３７ｅを下方に押し下げて絞り板３７を第１の位置にセットする。ストロボを使用しないで撮影する場合、一般に、被写体輝度は高いと考えられるので、小絞りをセットすることにより、適正な露光量で撮影が行われる。
【００５１】
上記例では、絞り板を駆動するソレノイドとして、１つの可動鉄心とその両端に巻いた２つのコイルとで構成した２連ソレノイドを使用し、一方のソレノイドを選択的に作動させることにより可動鉄心を上下方向に移動して、絞り板を切り換える例で説明したが、図８及び図９に示すように、１つの可動鉄心と１つのコイルとで構成した１個のソレノイドを使用し、コイルに流す電流の向きを変化させることにより可動鉄心を上下方向に移動して、絞り板を切り換えるようにしてもよい。
【００５２】
駆動部９６は、１つの可動鉄心９７と、その一端に巻きつけられたコイルとで構成されたソレノイド９８を備えている。可動鉄心９７の一部には溝９７ａが形成されており、この溝９７ａとピン３７ｃとが係合することにより、可動鉄心９７の上下動に連動して絞り板３７が回動する。この可動鉄心９７には永久磁石が使用されており、その極性とコイルに流れる電流の向きによってできる極性とにより、吸収、反発させて可動鉄心９７を上下動させる。
【００５３】
この例の絞り制御回路には、そのＡＮＤゲート７８の出力側にトランジスタ１０１，１０２が、そのＮＯＲゲート７９の出力側にトランジスタ１０３，１０４がそれぞれ接続される。これらのトランジスタ１０１〜１０４はソレノイド９８に接続される。
【００５４】
被写体輝度が増加して、入力電圧Ｖinが基準電圧Ｖref を下回ると、ＡＮＤゲート７８から駆動パルスが出力され、トランジスタ１０１，１０２が作動する。これにより、ソレノイド９８にＡ方向の電流が流れて可動鉄心９７が上方に移動して絞り板３７が第１の位置に回動する。他方、被写体輝度が増減少して、入力電圧Ｖinが基準電圧Ｖref を上回ると、ＮＯＲゲート７９から駆動パルスが出力され、トランジスタ１０３，１０４が作動する。これにより、ソレノイド９８にＢ方向の電流が流れて可動鉄心９７が下方に移動して絞り板３７が第２の位置に回動する。
【００５５】
上記例では、作動スイッチとストロボスイッチとを連動させて、ストロボスイッチがオンしている時に絞り制御回路が作動するようにしているが、図１０に示すように、作動スイッチ１０５をレンズカバーと連動させるようにしてもよい。レンズ付きフイルムユニット１０６は、レンズカバー１０７を備えている。このレンズカバー１０７は、使用時に撮影レンズ２０を露呈する開き位置（図示）と、不使用時に撮影レンズ２０を覆う閉じ位置との間で開閉自在に取り付けられている。ファインダ物窓１０８の横には、一対の金属接片からなる作動スイッチ１０５が一部露呈されている。作動スイッチ１０５は、使用時には、両接片が接触してオンする。レンズカバー１０７には、この両接片を絶縁し、作動スイッチ１０５をオフするための絶縁片１０９が設けられている。レンズカバー１０７が閉じられると、絶縁片１０９が両接片間に差し込まれて、作動スイッチ１０５がオフされる。
【００５６】
これにより、レンズカバー１０７が開いた時だけ、絞り制御回路が作動するので、電源電池の無駄な消耗が防止される。また、ストロボスイッチ２７と連動させていないので、ストロボ撮影を行わない場合でも、絞り制御回路を作動させることができる。
【００５７】
なお、この例では、レンズカバー１０７が下方のヒンジ１１１に支持されて、レンズカバー１０７が前方側に倒れ込むように開く例で説明してるが、横方向にスライド自在に設けられたレンズカバーでもよい。また、この例では、レンズカバー１０７の裏面に、ＣｄＳ１１２が設けられている。このため、仮に作動スイッチ１０５を設けなかったとしても、レンズカバー１０７が閉じ位置にある時には、ＣｄＳ１１２の受光面に光が入ることはなく、輝度変化を検出しないので、絞り板３７の切り換えが行われてしまうようなことはない。また、もちろん、作動スイッチ１０５を設けた場合には、ＣｄＳ１１２をレンズカバー１０７の表面に設けてもよいし、また、レンズカバー１０７ではなく、本体側に設けてもよい。
【００５８】
また、図１１に示すレンズ付きフイルムユニット１１６のように、撮影時に本体を保持するグリップ部１１７に操作ボタン１１８を設け、この操作ボタン１１８に作動スイッチを連動させてもよい。これによれば、グリップ部１１７で作動スイッチのオン／オフを行えるので、操作がしやすい。
【００５９】
また、絞り制御回路の作動スイッチを設けずに、常に絞り制御回路をオンするようにしてもよい。これによれば、レンズ付きフイルムユニットをその包装袋から取り出した時から、ＣｄＳによる輝度変化の検出が開始される。
【００６０】
また、上記例では、絞り制御回路がオンしている間、常時測光するようにしているが、例えば、測光間隔を監視する内部タイマを設け、この内部タイマにより一定間隔（例えば、１秒間隔）で測光し、その時の輝度状態に応じた電気信号を前記一定間隔で出力するようにしてもよい。
【００６１】
なお、上記例では、いずれも、ストロボ内蔵型のレンズ付きフイルムユニットに実施した例で説明しているが、ストロボ非内蔵型のものでもよいし、また、レンズ付きフイルムユニットでなくてもよく、コンパクトカメラに実施してもよい。
【００６２】
【発明の効果】
以上詳細に説明したように、本発明のカメラの自動露光制御装置は、少なくとも１つの絞り開口が形成され、前記絞り開口が撮影光路上に位置して絞り径を小さくする第１の位置と、前記絞り開口が撮影光路上から退避して絞り径を大きくする第２の位置との間で移動自在に設けられた絞り板と、被写体輝度に応じた光電信号を出力する測光手段と、前記光電信号の変化に応じて前記絞り板を移動させるために、予め前記光電信号と比較する閾値が設定され、被写体輝度が高輝度から低輝度に減少する際に前記光電信号が前記閾値を横切った時、第１の切り換え信号を出力し、被写体輝度が低輝度から高輝度に増加する際に前記光電信号が前記閾値を横切った時、第２の切り換え信号を出力する絞り制御回路と、前記第１の切り換え信号に応答して絞り板を第１の位置に移動させ、第２の切り換え信号に応答して絞り板を第２の位置に移動させるとともに、絞り板をそれぞれの位置に向けて移動させた後に駆動が断たれる電磁駆動手段と、前記電磁駆動手段によって第１又は第２の位置に移動した絞り板を、電磁駆動手段の駆動が断たれた状態でそれぞれの位置に保持する保持手段とを設けたから、絞り切り換えを行うための電池の消耗を抑えることができる。このため、容量が小さい電池を内蔵するレンズ付きフイルムユニット等には好適である。
【図面の簡単な説明】
【図１】絞り制御回路を示す回路図である。
【図２】レンズ付きフイルムユニットの全体斜視図である。
【図３】レンズ付きフイルムユニットの分解斜視図である。
【図４】露光部の分解斜視図である。
【図５】絞り板の動作を示す正面図である。
【図６】ストロボの回路を示す回路図である。
【図７】駆動パルスの発生タイミングを示すタイミングチャートである。
【図８】１個のソレノイドで駆動する絞り板の動作を示す。
【図９】図８の例の絞り制御回路を示す回路図である。
【図１０】作動スイッチとレンズカバーとを連動させたレンズ付きフイルムユニットの全体斜視図である。
【図１１】グリップ部に設けた操作ボタンと作動スイッチとを連動させたレンズ付きフイルムユニットの全体斜視図である。
【符号の説明】
２６  ＣｄＳ
２７  ストロボスイッチ
３７  絞り板
３７ａ  小絞り開口
５９  電源電池
７６  コンパレータ
８１，８２，９８  ソレノイド
【図１】
0003960577.tif 000002
【図２】
0003960577.tif 000003
【図３】
0003960577.tif 000004
【図４】
0003960577.tif 000005
【図５】
0003960577.tif 000006
【図６】
0003960577.tif 000007
【図７】
0003960577.tif 000008
【図８】
0003960577.tif 000009
【図９】
0003960577.tif 000010
【図１０】
0003960577.tif 000011
【図１１】
0003960577.tif 000012